(57)【特許請求の範囲】
【請求項１】
無線通信のための方法であって、
第２の部分が続く第１の部分を備えた信号（ＳＩＧ）フィールドを構築することと、ここで、前記ＳＩＧフィールドのうちの複数のサブ・フィールドは、シングル・ユーザ（ＳＵ）モードとマルチ・ユーザ（ＭＵ）モードとに共通のサブ・フィールドの第１のグループが、前記ＳＵモードと前記ＭＵモードとに共通ではないサブ・フィールドの第２のグループの前に送信されることを保証するために、前記第１の部分と前記第２の部分との間で割り当てられ、前記第１の部分は、グループＩＤサブ・フィールドを備える、
プリアンブル内で前記ＳＩＧフィールドを送信することと、を備える方法。
【請求項２】
前記ＳＩＧフィールドは、超高スループット信号フィールド・タイプＡ（ＶＨＴ−ＳＩＧ−Ａフィールド）を備える、請求項１に記載の方法。
【請求項３】
前記ＳＩＧフィールドは、前記ＳＵモードの場合、１つの装置のみに送信され、前記ＳＩＧフィールドは、前記ＭＵモードの場合、２またはそれ以上の装置に送信される、請求項１に記載の方法。
【請求項４】
前記第１のグループからの１または複数のサブ・フィールドは、前記ＳＵモードのため、および前記ＭＵモードのために、異なる情報を備える、請求項１に記載の方法。
【請求項５】
前記１または複数のサブ・フィールドは、前記プリアンブルが送信される各装置に専用の空間−時間ストリームの数に関する情報を備える、空間−時間ストリーム（ＳＴＳ）サブ・フィールドを備える、請求項４に記載の方法。
【請求項６】
前記グループＩＤサブ・フィールド、または、前記サブ・フィールドの第１のグループの空間−時間ストリーム（ＳＴＳ）サブ・フィールドのうちの少なくとも１つを拡張するために、前記第１の部分における１または複数の予約ビットを利用することをさらに備え、
前記ＳＴＳサブ・フィールドは、前記プリアンブルが送信される各装置に専用の空間−時間ストリームの数に関する情報を備え、
前記グループＩＤサブ・フィールドは、前記プリアンブルが送信される装置のグループに関する情報を備える、請求項１に記載の方法。
【請求項７】
前記ＳＴＳサブ・フィールドは、前記１または複数の予約ビットを利用することによって、前記ＳＵモードにおいて１４ビットへ拡張され、
前記ＳＴＳサブ・フィールドのうちの３ビットは、前記装置に専用の空間−時間ストリームの数を示し、
前記ＳＴＳサブ・フィールドのうちの１１ビットは、前記装置の関連付け識別子（ＡＩＤ）のうちの少なくとも一部を備える、請求項６に記載の方法。
【請求項８】
長さサブ・フィールド、変調−符号化スキーム（ＭＣＳ）サブ・フィールド、テール・サブ・フィールド、または予約ビットのうちの少なくとも１つを備える別のＳＩＧフィールドを、前記プリアンブル内に構築することをさらに備え、
前記長さサブ・フィールドは、前記プリアンブルの後に送信されるべきデータの長さに関するインジケーションを備える、請求項１に記載の方法。
【請求項９】
前記ＭＣＳサブ・フィールド、前記予約ビット、および前記テール・サブ・フィールドが後続する前記長さサブ・フィールドを送信すること、をさらに備える請求項８に記載の方法。
【請求項１０】
前記別のＳＩＧフィールドは、超高スループット信号フィールド・タイプＢ（ＶＨＴ−ＳＩＧ−Ｂフィールド）を備え、
前記ＶＨＴ−ＳＩＧ−Ｂフィールドは、超高スループット信号フィールド・タイプＡ（ＶＨＴ−ＳＩＧ−Ａフィールド）を送信した後に、前記プリアンブル内で送信される、請求項８に記載の方法。
【請求項１１】
前記プリアンブルは、無線通信規格のＩＥＥＥ  ８０２．１１ファミリにしたがって送信される、請求項１に記載の方法。
【請求項１２】
無線通信のための装置であって、
第２の部分が続く第１の部分を備えた信号（ＳＩＧ）フィールドを構築するように構成された回路と、ここで、前記ＳＩＧフィールドのうちの複数のサブ・フィールドは、シングル・ユーザ（ＳＵ）モードとマルチ・ユーザ（ＭＵ）モードとに共通のサブ・フィールドの第１のグループが、前記ＳＵモードと前記ＭＵモードとに共通ではないサブ・フィールドの第２のグループの前に送信されることを保証するために、前記第１の部分と前記第２の部分との間で割り当てられ、前記第１の部分は、グループＩＤサブ・フィールドを備える、
プリアンブル内で前記ＳＩＧフィールドを送信するように構成された送信機と、を備える装置。
【請求項１３】
前記ＳＩＧフィールドは、超高スループット信号フィールド・タイプＡ（ＶＨＴ−ＳＩＧ−Ａフィールド）を備える、請求項１２に記載の装置。
【請求項１４】
前記ＳＩＧフィールドは、前記ＳＵモードの場合、１つの装置のみに送信され、前記ＳＩＧフィールドは、前記ＭＵモードの場合、２またはそれ以上の装置に送信される、請求項１２に記載の装置。
【請求項１５】
前記第１のグループからの１または複数のサブ・フィールドは、前記ＳＵモードのため、および前記ＭＵモードのために、異なる情報を備える、請求項１２に記載の装置。
【請求項１６】
前記１または複数のサブ・フィールドは、前記プリアンブルが送信される各装置に専用の空間−時間ストリームの数に関する情報を備える空間−時間ストリーム（ＳＴＳ）サブ・フィールドを備える、請求項１５に記載の装置。
【請求項１７】
前記グループＩＤサブ・フィールド、または、前記サブ・フィールドの第１のグループの空間−時間ストリーム（ＳＴＳ）サブ・フィールドのうちの少なくとも１つを拡張するために、前記第１の部分における１または複数の予約ビットを利用するように構成された別の回路をさらに備え、
前記ＳＴＳサブ・フィールドは、前記プリアンブルが送信される各装置に専用の空間−時間ストリームの数に関する情報を備え、
前記グループＩＤサブ・フィールドは、前記プリアンブルが送信される装置のグループに関する情報を備える、請求項１２に記載の装置。
【請求項１８】
前記ＳＴＳサブ・フィールドは、前記１または複数の予約ビットを利用することによって、前記ＳＵモードにおいて１４ビットへ拡張され、
前記ＳＴＳサブ・フィールドのうちの３ビットは、前記装置に専用の空間−時間ストリームの数を示し、
前記ＳＴＳサブ・フィールドのうちの１１ビットは、前記装置の関連付け識別子（ＡＩＤ）のうちの少なくとも一部を備える、請求項１７に記載の装置。
【請求項１９】
長さサブ・フィールド、変調−符号化スキーム（ＭＣＳ）サブ・フィールド、テール・サブ・フィールド、または予約ビットのうちの少なくとも１つを備える別のＳＩＧフィールドを、前記プリアンブル内に構築するように構成された別の回路をさらに備え、
前記長さサブ・フィールドは、前記プリアンブルの後に送信されるべきデータの長さに関するインジケーションを備える、請求項１２に記載の装置。
【請求項２０】
前記送信機はさらに、前記ＭＣＳサブ・フィールド、前記予約ビット、および前記テール・サブ・フィールドが後続する前記長さサブ・フィールドを送信するように構成された、請求項１９に記載の装置。
【請求項２１】
前記別のＳＩＧフィールドは、超高スループット信号フィールド・タイプＢ（ＶＨＴ−ＳＩＧ−Ｂフィールド）を備え、
前記ＶＨＴ−ＳＩＧ−Ｂフィールドは、超高スループット信号フィールド・タイプＡ（ＶＨＴ−ＳＩＧ−Ａフィールド）を送信した後に、前記プリアンブル内で送信される、請求項１９に記載の装置。
【請求項２２】
前記プリアンブルは、無線通信規格のＩＥＥＥ  ８０２．１１ファミリにしたがって送信される、請求項１２に記載の装置。
【請求項２３】
無線通信のための装置であって、
第２の部分が続く第１の部分を備えた信号（ＳＩＧ）フィールドを構築する手段と、ここで、前記ＳＩＧフィールドのうちの複数のサブ・フィールドは、シングル・ユーザ（ＳＵ）モードとマルチ・ユーザ（ＭＵ）モードとに共通のサブ・フィールドの第１のグループが、前記ＳＵモードと前記ＭＵモードとに共通ではないサブ・フィールドの第２のグループの前に送信されることを保証するために、前記第１の部分と前記第２の部分との間で割り当てられ、前記第１の部分は、グループＩＤサブ・フィールドを備える、
プリアンブル内で前記ＳＩＧフィールドを送信する手段と、を備える装置。
【請求項２４】
前記ＳＩＧフィールドは、超高スループット信号フィールド・タイプＡ（ＶＨＴ−ＳＩＧ−Ａフィールド）を備える、請求項２３に記載の装置。
【請求項２５】
前記ＳＩＧフィールドは、前記ＳＵモードの場合、１つの装置のみに送信され、前記ＳＩＧフィールドは、前記ＭＵモードの場合、２またはそれ以上の装置に送信される、請求項２３に記載の装置。
【請求項２６】
前記第１のグループからの１または複数のサブ・フィールドは、前記ＳＵモードのため、および前記ＭＵモードのために、異なる情報を備える、請求項２３に記載の装置。
【請求項２７】
前記１または複数のサブ・フィールドは、前記プリアンブルが送信される各装置に専用の空間−時間ストリームの数に関する情報を備える、空間−時間ストリーム（ＳＴＳ）サブ・フィールドを備える、請求項２６に記載の装置。
【請求項２８】
前記グループＩＤサブ・フィールド、または、前記サブ・フィールドの第１のグループの空間−時間ストリーム（ＳＴＳ）サブ・フィールドのうちの少なくとも１つを拡張するために、前記第１の部分における１または複数の予約ビットを利用する手段をさらに備え、
前記ＳＴＳサブ・フィールドは、前記プリアンブルが送信される各装置に専用の空間−時間ストリームの数に関する情報を備え、
前記グループＩＤサブ・フィールドは、前記プリアンブルが送信される装置のグループに関する情報を備える、請求項２３に記載の装置。
【請求項２９】
前記ＳＴＳサブ・フィールドは、前記１または複数の予約ビットを利用することによって、前記ＳＵモードにおいて１４ビットへ拡張され、
前記ＳＴＳサブ・フィールドのうちの３ビットは、前記装置に専用の空間−時間ストリームの数を示し、
前記ＳＴＳサブ・フィールドのうちの１１ビットは、前記装置の関連付け識別子（ＡＩＤ）のうちの少なくとも一部を備える、請求項２８に記載の装置。
【請求項３０】
長さサブ・フィールド、変調−符号化スキーム（ＭＣＳ）サブ・フィールド、テール・サブ・フィールド、または予約ビットのうちの少なくとも１つを備える別のＳＩＧフィールドを、前記プリアンブル内に構築する手段をさらに備え、
前記長さサブ・フィールドは、前記プリアンブルの後に送信されるべきデータの長さに関するインジケーションを備える、請求項２３に記載の装置。
【請求項３１】
前記送信する手段はさらに、前記ＭＣＳサブ・フィールド、前記予約ビット、および前記テール・サブ・フィールドが後続する前記長さサブ・フィールドを送信するように構成された、請求項３０に記載の装置。
【請求項３２】
前記別のＳＩＧフィールドは、超高スループット信号フィールド・タイプＢ（ＶＨＴ−ＳＩＧ−Ｂフィールド）を備え、
前記ＶＨＴ−ＳＩＧ−Ｂフィールドは、超高スループット信号フィールド・タイプＡ（ＶＨＴ−ＳＩＧ−Ａフィールド）を送信した後に、前記プリアンブル内で送信される、請求項３０に記載の装置。
【請求項３３】
前記プリアンブルは、無線通信規格のＩＥＥＥ  ８０２．１１ファミリにしたがって送信される、請求項２３に記載の装置。
【請求項３４】
第２の部分が続く第１の部分を備えた信号（ＳＩＧ）フィールドを構築し、ここで、前記ＳＩＧフィールドのうちの複数のサブ・フィールドは、シングル・ユーザ（ＳＵ）モードとマルチ・ユーザ（ＭＵ）モードとに共通のサブ・フィールドの第１のグループが、前記ＳＵモードと前記ＭＵモードとに共通ではないサブ・フィールドの第２のグループの前に送信されることを保証するために、前記第１の部分と前記第２の部分との間で割り当てられ、前記第１の部分は、グループＩＤサブ・フィールドを備える、
プリアンブル内で前記ＳＩＧフィールドを送信する、ように実行可能な命令群を備える無線通信のためのコンピュータ・プログラム。
【請求項３５】
無線ノードであって、
少なくとも１つのアンテナと、
第２の部分が続く第１の部分を備えた信号（ＳＩＧ）フィールドを構築するように構成された回路と、ここで、前記ＳＩＧフィールドのうちの複数のサブ・フィールドは、シングル・ユーザ（ＳＵ）モードとマルチ・ユーザ（ＭＵ）モードとに共通のサブ・フィールドの第１のグループが、前記ＳＵモードと前記ＭＵモードとに共通ではないサブ・フィールドの第２のグループの前に送信されることを保証するために、前記第１の部分と前記第２の部分との間で割り当てられ、前記第１の部分は、グループＩＤサブ・フィールドを備える、
前記少なくとも１つのアンテナを介して、プリアンブル内で前記ＳＩＧフィールドを送信するように構成された送信機と、を備える無線ノード。
【請求項３６】
前記グループＩＤサブ・フィールドにおいて予め定義された値が、ＳＵ送信、グループ・メンバシップがまだ確立されていない送信、または、１または複数の装置のグループをバイパスすることを必要とする送信、のうちの少なくとも１つを示す、請求項１に記載の方法。
【請求項３７】
前記予め定義された値は、ゼロである、請求項３６に記載の方法。
【請求項３８】
前記グループＩＤサブ・フィールドにおいて予め定義された値が、ＳＵ送信、グループ・メンバシップがまだ確立されていない送信、または、１または複数の装置のグループをバイパスすることを必要とする送信、のうちの少なくとも１つを示す、請求項１２に記載の装置。
【請求項３９】
前記予め定義された値は、ゼロである、請求項３８に記載の装置。
【請求項４０】
前記グループＩＤサブ・フィールドにおいて予め定義された値が、ＳＵ送信、グループ・メンバシップがまだ確立されていない送信、または、１または複数の装置のグループをバイパスすることを必要とする送信、のうちの少なくとも１つを示す、請求項２３に記載の装置。
【請求項４１】
前記予め定義された値は、ゼロである、請求項４０に記載の装置。
【請求項４２】
前記グループＩＤサブ・フィールドにおいて予め定義された値が、ＳＵ送信、グループ・メンバシップがまだ確立されていない送信、または、１または複数の装置のグループをバイパスすることを必要とする送信、のうちの少なくとも１つを示す、請求項３４に記載のコンピュータ・プログラム。
【請求項４３】
前記予め定義された値は、ゼロである、請求項４２に記載のコンピュータ・プログラム。
【請求項４４】
前記グループＩＤサブ・フィールドにおいて予め定義された値が、ＳＵ送信、グループ・メンバシップがまだ確立されていない送信、または、１または複数の装置のグループをバイパスすることを必要とする送信、のうちの少なくとも１つを示す、請求項３５に記載の無線ノード。
【請求項４５】
前記予め定義された値は、ゼロである、請求項４４に記載の無線ノード。
【発明の詳細な説明】
【優先権主張】
【０００１】
本願は、本明細書の譲受人に譲渡され、本明細書において参照によって明確に組み込まれている、２０１０年７月２１日出願の「ＶＨＴ−ＳＩＧ−ＡおよびＶＨＴ−ＳＩＧ−Ｂのフィールド順序付け」（VHT-SIG-A AND VIT-SIG-B FIELD ORDER）と題された米国仮特許出願６１／３６６，２７６号と、２０１０年７月２２日出願の「ＶＨＴ−ＳＩＧ−ＡおよびＶＨＴ−ＳＩＧ−Ｂのフィールド順序付け」（VHT-SIG-A AND VIT-SIG-B FIELD ORDER）と題された米国仮特許出願６１／３６６，６８２号との利益を主張する。
【技術分野】
【０００２】
本開示のある態様は、一般に、無線通信に関し、さらに詳しくは、超高スループット（ＶＨＴ：Very High Throughput）信号フィールドをプリアンブル内で順序付けするための方法に関する。
【背景技術】
【０００３】
電気電子学会（ＩＥＥＥ）８０２．１１  ワイド・ローカル・エリア・ネットワーク（ＷＬＡＮ）規格群は、５ＧＨｚのキャリア周波数（すなわち、ＩＥＥＥ  ８０２．１１ａｃ仕様）を用いて、または、毎秒１ギガ・ビットを超えるアグリゲート・スループットを目指す６０ＧＨｚのキャリア周波数（すなわち、ＩＥＥＥ  ８０２．１１ａｄ仕様）を用いて、超高スループット（ＶＨＴ）アプローチに基づいて、送信のための仕様を確立した。ＶＨＴ  ５ＧＨｚ仕様を可能にする技術のうちの１つは、より広いチャネル帯域幅である。これは、８０ＭＨｚ帯域幅のために２つの４０ＭＨｚチャネルを結合し、もって、８０２．１１ｎ規格に比べて、無視できるコストで、物理レイヤ（ＰＨＹ）データ・レートを２倍にする。
【０００４】
本開示では、ＶＨＴプリアンブルの信号（ＳＩＧ）フィールド内でサブ・フィールドを順序付けする方法が提案される。さらに、これらサブ・フィールドのサイズを管理する方法が提案される。
【発明の概要】
【０００５】
本開示のある態様は、無線通信のための方法を提供する。この方法は一般に、第２の部分が続く第１の部分を備えた信号（ＳＩＧ）フィールドを構築することと、ここで、ＳＩＧフィールドのうちの複数のサブ・フィールドは、シングル・ユーザ（ＳＵ）モードとマルチ・ユーザ（ＭＵ）モードとに共通のサブ・フィールドのグループが、ＳＵモードとＭＵモードとに共通ではないサブ・フィールドの別のグループの前に送信されることを保証するために、第１の部分と第２の部分とに割り当てられる、プリアンブル内でＳＩＧフィールドを送信することと、を含む。
【０００６】
本開示のある態様は、無線通信のための装置を提供する。この装置は一般に、第２の部分が続く第１の部分を備えた信号（ＳＩＧ）フィールドを構築するように構成された回路と、ここで、ＳＩＧフィールドのうちの複数のサブ・フィールドは、シングル・ユーザ（ＳＵ）モードとマルチ・ユーザ（ＭＵ）モードとに共通のサブ・フィールドのグループが、ＳＵモードとＭＵモードとに共通ではないサブ・フィールドの別のグループの前に送信されることを保証するために、第１の部分と第２の部分とに割り当てられる、プリアンブル内でＳＩＧフィールドを送信するように構成された送信機と、を含む。
【０００７】
本開示のある態様は、無線通信のための装置を提供する。この装置は一般に、第２の部分が続く第１の部分を備えた信号（ＳＩＧ）フィールドを構築する手段と、ここで、ＳＩＧフィールドのうちの複数のサブ・フィールドは、シングル・ユーザ（ＳＵ）モードとマルチ・ユーザ（ＭＵ）モードとに共通のサブ・フィールドのグループが、ＳＵモードとＭＵモードとに共通ではないサブ・フィールドの別のグループの前に送信されることを保証するために、第１の部分と第２の部分とに割り当てられる、プリアンブル内でＳＩＧフィールドを送信する手段と、を含む。
【０００８】
本開示のある態様は、無線通信のためのコンピュータ・プログラム製品を提供する。このコンピュータ・プログラム製品は、第２の部分が続く第１の部分を備えた信号（ＳＩＧ）フィールドを構築し、ここで、ＳＩＧフィールドのうちの複数のサブ・フィールドは、シングル・ユーザ（ＳＵ）モードとマルチ・ユーザ（ＭＵ）モードとに共通のサブ・フィールドのグループが、ＳＵモードとＭＵモードとに共通ではないサブ・フィールドの別のグループの前に送信されることを保証するために、第１の部分と第２の部分とに割り当てられる、プリアンブル内でＳＩＧフィールドを送信する、ように実行可能な命令群を備えるコンピュータ読取可能な媒体を含む。
【０００９】
本開示のある態様は、無線ノードを提供する。無線ノードは一般に、少なくとも１つのアンテナと、第２の部分が続く第１の部分を備えた信号（ＳＩＧ）フィールドを構築するように構成された回路と、ここで、ＳＩＧフィールドのうちの複数のサブ・フィールドは、シングル・ユーザ（ＳＵ）モードとマルチ・ユーザ（ＭＵ）モードとに共通のサブ・フィールドのグループが、ＳＵモードとＭＵモードとに共通ではないサブ・フィールドの別のグループの前に送信されることを保証するために、第１の部分と第２の部分とに割り当てられる、少なくとも１つのアンテナを介して、プリアンブル内のＳＩＧフィールドを送信するように構成された送信機と、を含む。
【図面の簡単な説明】
【００１０】
本開示の前述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても適合するので、添付図面は、本開示のある典型的な態様のみを示していることや、この範囲を限定するものとしては考慮されないことが注目されるべきである。
【図１】図１は、本開示のある態様にしたがう無線通信ネットワークの図解を例示する。
【図２】図２は、本開示のある態様にしたがうアクセス・ポイントおよびユーザ端末の例のブロック図を例示する。
【図３】図３は、本開示のある態様にしたがう無線デバイスの例のブロック図を例示する。
【図４】図４は、本開示のある態様にしたがってアクセス・ポイントまたはユーザ端末から送信されうるプリアンブルの構造の例を例示する。
【図５】図５は、本開示のある態様にしたがうプリアンブルの超高スループット信号フィールド・タイプＡ（ＶＨＴ−ＳＩＧＡフィールド）の超高スループット信号Ａ１（ＶＨＴ−ＳＩＧ−Ａ１）部分の構造の例を例示する。
【図６】図６は、本開示のある態様にしたがうプリアンブルのＶＨＴ−ＳＩＧＡフィールドの超高スループット信号Ａ２（ＶＨＴ−ＳＩＧ−Ａ２）部分の構造の例を例示する。
【図７】図７は、本開示のある態様にしたがうプリアンブルの超高スループット信号フィールド・タイプＢ（ＶＨＴ−ＳＩＧＢフィールド）の構造の例を例示する。
【図８】図８は、本開示のある態様にしたがってプリアンブルを構築するためにアクセス・ポイントまたはユーザ端末において実行されうる動作の例を図示する。
【図８Ａ】図８Ａは、図８に図示された動作を実行することが可能な構成要素の例を図示する。
【発明を実施するための形態】
【００１１】
本開示のさまざまな態様は、添付図面を参照して以下により十分に記載される。しかしながら、本開示は、異なる多くの形態で具体化され、本開示を通じて示されたどの具体的な構成または機能にも限定されるものとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００１２】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００１３】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００１４】
（典型的な無線通信システム）  
本明細書に記載された技術は、直交多重化スキームに基づく通信システムを含むさまざまなブロードバンド無線通信システムのために使用されうる。このような通信システムの例は、空間分割多元接続（ＳＤＭＡ）システム、時分割多元接続（ＴＤＭＡ）システム、直交周波数分割多元接続（ＯＦＤＭＡ）システム、シングル・キャリア周波数分割多元接続（ＳＣ−ＦＤＭＡ）システム等を含んでいる。ＳＤＭＡシステムは、複数のユーザ端末に属するデータを同時に送信するために、十分に異なる方向を利用しうる。ＴＤＭＡシステムによって、複数のユーザ端末は、送信信号を複数の異なる時間スロットに分割することによって、同じ周波数チャネルを共有できるようになる。ここで、おのおのの時間スロットは、異なるユーザ端末に割り当てられる。ＴＤＭＡシステムは、ＧＳＭ（登録商標）、または、当該技術分野で周知のその他の規格を実施しうる。ＯＦＤＭＡシステムは、直交周波数分割多重（ＯＦＤＭ）を利用する。これは、システム帯域幅全体を、複数の直交サブ・キャリアへ分割する変調技術である。これらサブ・キャリアはまた、トーン、ビン等とも称されうる。各サブ・キャリアは、ＯＦＤＭを用いて、データと独立して変調される。ＯＦＤＭシステムは、ＩＥＥＥ  ８０２．１１、または、当該技術分野で周知のその他の規格を実施しうる。ＳＣ−ＦＤＭＡシステムは、システム帯域幅にわたって分散されたサブ・キャリアで送信するインタリーブＦＤＭＡ（ＩＦＤＭＡ）、隣接するサブ・キャリアのブロックで送信するローカライズドＦＤＭＡ（ＬＦＤＭＡ）、あるいは、隣接するサブ・キャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。ＳＣ−ＦＤＭＡシステムは、３ＧＰＰ−ＬＴＥ（第３世代パートナシップ計画ロング・ターム・イボリューション）、または、当該技術分野で周知のその他の規格を実施しうる。
【００１５】
本明細書に記載された教示は、さまざまな有線装置または無線装置（例えば、ノード）へ組み込まれうる（例えば、これら内で実行されるか、これらによって実施される）。いくつかの態様では、本明細書における教示したがって実施される無線ノードは、アクセス・ポイントまたはアクセス端末を備えうる。
【００１６】
アクセス・ポイント（“ＡＰ”）は、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００１７】
例えば、アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器、ユーザ局、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタティメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００１８】
図１は、アクセス・ポイントおよびユーザ端末を備えた多元接続複数入力複数出力（ＭＩＭＯ）システム１００を例示する。簡略のために、図１には、１つのアクセス・ポイント１１０だけしか示されていない。アクセス・ポイントは、一般に、ユーザ端末と通信する固定局であり、基地局、またはその他いくつかの用語でも称されうる。ユーザ端末は、据置式または移動式であり、移動局、無線デバイス、またはその他いくつかの用語でも称されうる。アクセス・ポイント１１０は、ダウンリンクおよびアップリンクにおいて、所与の瞬間において、１または複数のユーザ端末１２０と通信しうる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末はまた、別のユーザ端末とピア・トゥ・ピアを通信しうる。システム・コントローラ１３０は、アクセス・ポイントに接続しており、アクセス・ポイントのための調整および制御を与える。
【００１９】
ある開示のために、後述する説明の一部は、空間分割多元接続で通信することが可能なユーザ端末１２０を説明しているが、ユーザ端末１２０はまた、ＳＤＭＡをサポートしないいくつかのユーザ端末をも含みうる。したがって、このような態様のために、ＡＰ１１０は、ＳＤＭＡユーザ端末と非ＳＤＭＡユーザ端末との両方と通信するように構成されうる。このアプローチによって、便利なことに、古いバージョンのユーザ端末（「レガシー」局）は、エンタープライズ内に引き続き配置され、有用な寿命を延ばすことができるようになるとともに、新たなＳＤＭＡユーザ端末が、適切なものとみなされて導入されるようになる。
【００２０】
システム１００は、ダウンリンクおよびアップリンクにおけるデータ送信のために複数の送信アンテナおよび複数の受信アンテナを適用する。アクセス・ポイント１１０は、Ｎａｐ個のアンテナを装備しており、ダウンリンク送信のための複数の入力（ＭＩ）と、アップリンク送信のための複数の出力（ＭＯ）とを示す。Ｋ個の選択されたユーザ端末１２０のセットは、集合的に、ダウンリンク送信のための複数の出力と、アップリンク送信のための複数の入力とを示す。純粋なＳＤＭＡの場合、Ｋ個のユーザ端末のためのデータ・シンボル・ストリームが、ある手段によって、符号、周波数、または時間で多重化されていないであれば、Ｎａｐ≧Ｋ≧１であることが望まれる。データ・シンボル・ストリームが、ＴＤＭＡ技術を用いて、ＣＤＭＡで異なる符号チャネルを用いて、ＯＦＤＭでサブ帯域の別のセットを用いて、等で多重化されうるのであれば、Ｋは、Ｎａｐよりも大きくなりうる。選択された各ユーザ端末は、ユーザ特有データをアクセス・ポイントへ送信するか、および／または、ユーザ特有データをアクセス・ポイントから受信する。一般に、選択されたユーザ端末はそれぞれ、１または複数のアンテナ（つまり、Ｎｕｔ≧１）を装備しうる。選択されたユーザ端末は、同じまたは異なる数のアンテナを有しうる。
【００２１】
ＳＤＭＡシステム１００は、時分割デュプレクス（ＴＤＤ）システムまたは周波数分割デュプレクス（ＦＤＤ）システムをサポートしうる。ＴＤＤシステムの場合、ダウンリンクおよびアップリンクは、同じ周波数帯域を共有する。ＦＤＤシステムの場合、ダウンリンクおよびアップリンクは、異なる周波数帯を使用する。ＭＩＭＯシステム１００はさらに、送信のために単一のキャリアまたは複数のキャリアを利用しうる。ユーザ端末はそれぞれ、（例えば、コスト・ダウンを維持するために）単一アンテナを、あるいは、（例えば、追加コストが支援されうる場合）複数アンテナを装備しうる。ユーザ端末１２０が、送信／受信を、別の時間スロットに分割することによって、同じ周波数チャネルを共有する場合、システム１００は、ＴＤＭＡシステムでもありうる。ここで、おのおのの時間スロットは、異なるユーザ端末１２０に割り当てられる。
【００２２】
本開示の態様では、ＡＰ１１０は、超高スループット（ＶＨＴ）無線通信規格にしたがってユーザ端末１２０へ送信されるべきフレームのプリアンブルを構築しうる。本開示は、プリアンブルの信号（ＳＩＧ）フィールド内のサブ・フィールドのサイズを管理するための方法のみならず、これらサブ・フィールドの特定の順序付けをも提案する。
【００２３】
図２は、ＭＩＭＯシステム１００におけるアクセス・ポイント１１０と２つのユーザ端末１２０ｍ，１２０ｘのブロック図を例示する。アクセス・ポイント１１０は、Ｎｔ個のアンテナ２２４ａ乃至２２４ｔを装備している。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備している。アクセス・ポイント１１０は、ダウンリンクのための送信エンティティ、およびアップリンクのための受信エンティティである。ユーザ端末１２０はそれぞれ、アップリンクのための送信エンティティ、およびダウンリンクのための受信エンティティである。本明細書で使用されるように、「送信エンティティ」は、無線チャネルを介してデータを送信することが可能な、独立して動作する装置またはデバイスであり、「受信エンティティ」は、無線チャネルを介してデータを受信することが可能な、独立して動作する装置またはデバイスである。後述する説明では、添字“ｄｎ”は、ダウンリンクを示し、添字“ｕｐ”は、アップリンクを示し、Ｎｕｐ個のユーザ端末が、アップリンクにおける同時通信のために選択され、Ｎｄｎ個のユーザ端末が、ダウンリンクにおける同時通信のために選択され、Ｎｕｐは、Ｎｄｎに等しい場合も、等しくない場合もあり、ＮｕｐおよびＮｄｎは、固定値であることも、各スケジューリング・インタバルについて変動する場合もありうる。ビーム・ステアリングまたはその他のある空間処理技術が、アクセス・ポイントおよびユーザ端末において使用されうる。
【００２４】
アップリンクでは、アップリンク送信のために選択された各ユーザ端末１２０において、ＴＸデータ・プロセッサ２８８が、データ・ソース２８６からトラフィック・データを、コントローラ２８０から制御データを受け取る。ＴＸデータ・プロセッサ２８８は、ユーザ端末のために選択されたレートに関連付けられた符号化スキームおよび変調スキームに基づいて、ユーザ端末のためのトラフィック・データを処理（例えば、符号化、インタリーブ、および変調）し、データ・シンボル・ストリームを提供する。ＴＸ空間プロセッサ２９０は、データ・シンボル・ストリームについて空間処理を実行し、Ｎｕｔ，ｍ個のアンテナのために、Ｎｕｔ，ｍ個の送信シンボル・ストリームを提供する。各送信機ユニット（ＴＭＴＲ）２５４は、それぞれの送信シンボル・ストリームを受信して処理（例えば、アナログ変換、増幅、フィルタ、および周波数アップコンバート）し、アップリンク信号を生成する。Ｎｕｔ，ｍ個の送信機ユニット２５４は、Ｎｕｔ，ｍ個のアンテナ２５２からアクセス・ポイントへ送信のために、Ｎｕｔ，ｍ個のアップリンク信号を提供する。
【００２５】
Ｎｕｐ個のユーザ端末は、アップリンクにおける同時通信のためにスケジュールされうる。これらユーザ端末の各々は、データ・シンボル・ストリームについて空間処理を実行し、送信シンボル・ストリームのセットを、アップリンクで、アクセス・ポイントへ送信する。
【００２６】
アクセス・ポイント１１０では、Ｎａｐ個のアンテナ２２４ａ乃至２２４ａｐが、アップリンクで送信しているＮｕｐ個すべてのユーザ端末から、アップリンク信号を受信する。各アンテナ２２４は、受信した信号を、それぞれの受信機ユニット（ＲＣＶＲ）２２２に提供する。各受信機ユニット２２２は、送信機ユニット２５４によって実行されるものに対して相補的な処理を実行し、受信したシンボル・ストリームを提供する。ＲＸ空間プロセッサ２４０は、Ｎａｐ個の受信機ユニット２２２から受信したＮａｐ個のシンボル・ストリームについて受信機空間処理を実行し、復元されたＮａｐ個のアップリンク・データ・シンボル・ストリームを提供する。受信機空間処理は、チャネル相関行列変換（ＣＣＭＩ）、最小平均平方誤差（ＭＭＳＥ）、ソフト干渉除去（ＳＩＣ）、またはその他いくつかの技術にしたがって実行される。復号された各アップリンク・データ・シンボル・ストリームは、それぞれのユーザ端末によって送信されたデータ・シンボル・ストリームの推定値である。ＲＸデータ・プロセッサ２４２は、復号されたデータを取得するためにそのストリームのために使用されたレートにしたがって、復号されたアップリンク・データ・シンボル・ストリームを処理（例えば、復調、デインタリーブ、および復号）する。各ユーザ端末の復号されたデータは、格納のためにデータ・シンク２４４へ、および／または、さらなる処理のためにコントローラ２３０へ提供されうる。
【００２７】
ダウンリンクでは、アクセス・ポイント１１０において、ＴＸデータ・プロセッサ２１０が、ダウンリック送信のためにスケジュールされたＮｄｎ個のユーザ端末のためのトラフィック・データをデータ・ソース２０８から、制御データをコントローラ２３０から、そして恐らくは、その他のデータをスケジューラ２３４から受け取る。さまざまなタイプのデータが、異なる伝送チャネルで送信されうる。ＴＸデータ・プロセッサ２１０は、そのユーザ端末のために選択されたレートに基づいて、各ユーザ端末のためのトラフィック・データを処理（例えば、符号化、インタリーブ、および変調）する。ＴＸデータ・プロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボル・ストリームについて（例えば、本開示で説明されるようなプリコーディングまたはビームフォーミングのような）空間処理を実行し、Ｎａｐ個のアンテナのためにＮａｐ個の送信シンボル・ストリームを提供する。各送信機ユニット２２２はそれぞれ、ダウンリンク信号を生成するために、それぞれの送信シンボル・ストリームを受信して処理する。Ｎａｐ個の送信機ユニット２２２は、Ｎａｐ個のアンテナ２２４からユーザ端末への送信のためのダウンリンク信号を提供する。
【００２８】
各ユーザ端末１２０では、Ｎｕｔ，ｍ個のアンテナ２５２が、アクセス・ポイント１１０からＮａｐ個のダウンリンク信号を受信する。各受信機ユニット２５４は、関連するアンテナ２５２からの受信信号を処理し、受信シンボル・ストリームを提供する。ＲＸ空間プロセッサ２６０は、受信ユニット２５４からの受信シンボル・ストリームについて受信機空間処理を実行し、ユーザ端末のために復元されたダウンリンク・データ・シンボル・ストリームを提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００２９】
各ユーザ端末１２０では、チャネル推定器２７８が、ダウンリンク・チャネル応答を推定し、ダウンリンク・チャネル推定値を提供する。これは、チャネル・ゲイン推定値、ＳＮＲ推定値、ノイズ分散等を含みうる。同様に、チャネル推定器２２８は、アップリンク・チャネル応答を推定し、アップリンク・チャネル推定値を提供する。各ユーザ端末のコントローラ２８０は、一般に、ユーザ端末のためのダウンリンク・チャネル応答行列Ｈｄｎ，ｍに基づいて、ユーザ端末のための空間フィルタ行列を導出する。コントローラ２３０は、実効的なアップリンク・チャネル応答行列Ｈｕｐ，ｅｆｆに基づいて、アクセス・ポイントのための空間フィルタ行列を導出する。各ユーザ端末のコントローラ２８０は、アクセス・ポイントへフィードバック情報（例えば、ダウンリンクおよび／またはアップリンクの固有ベクトル、固有値、ＳＮＲ推定値等）を送信しうる。コントローラ２３０，２８０はさらに、アクセス・ポイント１１０およびユーザ端末１２０それぞれにおけるさまざまな処理ユニットの動作を制御する。
【００３０】
本開示の態様では、アクセス・ポイント１１０のＴＸデータ・プロセッサ２１０は、ＶＨＴ無線通信規格にしたがって、アクセス・ポイント１１０からユーザ端末１２０への送信のためのフレームのプリアンブルを構築するように構成されうる。別の態様では、ユーザ端末１２０のＴＸデータ・プロセッサ２８８は、ＶＨＴ無線通信規格にしたがって、ユーザ端末１２０からアクセス・ポイント１１０への送信のため、別のプリアンブルを構築するように構成されうる。このプリアンブルおよび別のプリアンブルの両方は、同じ構造を備えうる。本開示は、プリアンブル（および別のプリアンブル）のＳＩＧフィールド内のサブ・フィールドのサイズを管理するための方法のみならず、これらサブ・フィールドの特定の順序付けをも提案する。
【００３１】
図３は、無線通信システム１００内で適用されうる無線デバイス３０２内で利用されうるさまざまな構成要素を示す。無線デバイス３０２は、本明細書で説明されるさまざまな方法を実施するために構成され得るデバイスの例である。無線デバイス３０２は、基地局１０４またはユーザ端末１０６でありうる。
【００３２】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００３３】
無線デバイス３０２は、無線デバイス３０２と遠隔位置との間でのデータの送信および受信を可能にする送信機２１０および受信機３１２を含みうるハウジング３０８をも含みうる。送信機３１０および受信機３１２は、トランシーバ３１４に結合されうる。単一あるいは複数の送信アンテナ３１６が、ハウジング３０８に取り付けられ、トランシーバ３１４に電気的に接続されうる。無線デバイス３０２はまた、（図示しない）複数の送信機、複数の受信機、および複数のトランシーバを含みうる。
【００３４】
無線デバイス３０２は、トランシーバ３１４によって受信された信号を検出し、そのレベルを定量化する目的で使用される信号検出器３１８をも含みうる。信号検出器３１８は、合計エネルギ、シンボル毎のサブ・キャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００３５】
無線デバイス３０２のさまざまな構成要素が、データ・バスに加えて電力バス、制御信号バス、およびステータス信号バスを含みうるバス・システム３２２によってともに結合されうる。
【００３６】
本開示の態様では、無線デバイス３０２のプロセッサ３０４は、ＶＨＴ無線通信規格にしたがって、ユーザ端末またはアクセス・ポイント（図示せず）への送信のためのフレームのプリアンブルを構築するように構成されうる。本開示は、プリアンブルのＳＩＧフィールド内のサブ・フィールドのサイズを管理するための方法のみならず、これらサブ・フィールドの特定の順序付けをも提案する。
【００３７】
（プリアンブル構造）  
図４は、本開示のある態様にしたがう、フレームのプリアンブル４００の構造の例を例示する。プリアンブル４００は、無線通信規格のＩＥＥＥ  ８０２．１１ファミリにしたがって（例えば、ＶＨＴ規格にしたがって）、図１に例示された無線ネットワーク１００のＡＰ１１０からユーザ局１２０へ、または、ユーザ局１２０からＡＰ１１０へ送信されうる。
【００３８】
プリアンブル４００は、全レガシー部４０２と、プリコードＶＨＴ部４１４とを備えうる。レガシー部４０２は、レガシー・ショート・トレーニング・フィールド（Ｌ−ＳＴＦ）４０４、レガシー・ロング・トレーニング・フィールド４０６、レガシー信号（Ｌ−ＳＩＧ）フィールド４０８、または、超高スループット信号フィールド・タイプＡ（ＶＨＴ−ＳＩＧ−Ａフィールド）の２つのＯＦＤＭシンボル４１０，４１２、のうちの少なくとも１つを備えうる。本開示の態様では、ＶＨＴ−ＳＩＧ−Ａフィールド４１０，４１２は、全方向的に送信されうる。
【００３９】
プリコードＶＨＴ部４１４は、超高スループット・ショート・トレーニング・フィールド（ＶＨＴ−ＳＴＦ）４１６、超高スループット・ロング・トレーニング・フィールド１（ＶＨＴ−ＬＴＦ１）４１８、超高スループット・ロング・トレーニング・フィールド（ＶＨＴ−ＬＴＦ）４２０、超高スループット信号フィールド・タイプＢ（ＶＨＴ−ＳＩＧ−Ｂフィールド）４２２、または、データ・パケット４２４のうちの少なくとも１つを備えうる。本開示の態様では、図４に例示されるように、ＶＨＴ−ＳＩＧ−Ｂフィールド４２２が、１つのＯＦＤＭシンボルを備え、ＶＨＴ−ＳＩＧ−Ａフィールドの後に送信されうる。ある態様によれば、ＶＨＴ部４１４は、プリコードされビームフォーミングされて送信されうる。
【００４０】
ユーザ・サイトにおけるロバストなマルチ・ユーザ（ＭＵ）ＭＩＭＯ受信は、ＡＰが、すべてのＶＨＴ−ＬＴＦ４２０を、無線通信システムのうちのサポートされているすべてのユーザに送信することを必要とする。ＶＨＴ−ＬＴＦ４２０によって、各ユーザは、すべてのＡＰアンテナからそのユーザのアンテナへのＭＩＭＯチャネルを推定できるようになりうる。その後、そのユーザは、他のユーザに専用のＭＵ−ＭＩＭＯストリームからの干渉ヌルイング／抑制を実行するために、チャネル推定を利用しうる。ロバストな干渉除去／抑制を達成するために、各ユーザは、どの空間ストリーム（単数または複数）が、そのユーザに属しているのかのみならず、どの空間ストリームが他のユーザに属しているかも認識することを要求されうる。この情報は、ＶＨＴ−ＳＩＧ−ＡフィールドまたはＶＨＴ−ＳＩＧ−Ｂフィールドのうちの少なくとも１つでシグナルされうる。
【００４１】
（プリアンブルのＶＨＴ−ＳＩＧ−ＡフィールドおよびＶＨＴ−ＳＩＧ−Ｂフィールド内のサブ・フレームの順序付け）  
本開示のある態様は、プリアンブルのＶＨＴ−ＳＩＧ−ＡフィールドおよびＶＨＴ−ＳＩＧ−Ｂフィールド内のサブ・フィールドのサイズを管理するための方法のみならず、これらサブ・フィールドの順序付けをも提案する。ユーザ端末における簡略化された解析のために、先ず、シングル・ユーザ（ＳＵ）送信モードおよびマルチ・ユーザ（ＭＵ）送信モードに共通でありうるこれらサブ・フィールドが、送信のためにスケジュールされうる。態様では、ＶＨＴ−ＳＩＧ−ＡおよびＶＨＴ−ＳＩＧ−Ｂのすべてのサブ・フィールドは、各サブ・フィールドの最下位ビット（ＬＳＢ）が先ず送信されるように送信されうる。
【００４２】
図５は、本開示のある態様にしたがうプリアンブルの超高スループット信号フィールドＡ（ＶＨＴ−ＳＩＧ−Ａ）のＶＨＴ−ＳＩＧ−Ａ１部５００の構造の例を例示する。図５に例示されるように、ＶＨＴ−ＳＩＧ−Ａ１部５００は、帯域幅（ＢＷ）インジケーション・サブ・フィールド５０２、空間時間ブロック符号（ＳＴＢＣ）サブ・フィールド５０４、グループ識別子（ＩＤ）サブ・フィールド５０６、各ユーザのために専用の空間−時間ストリーム数に関する情報を備えた空間−時間ストリーム（ＳＴＳ）サブ・フィールド５０８、または、予約サブ・フィールド５１０、のうちの少なくとも１つを備えうる。
【００４３】
ＢＷインジケーション・サブ・フィールド５０２は、図５に例示されるビット・インデクス０−２のように、ＭＵ送信とＳＵ送信との両方のために３ビットを備えうる。このサブ・フィールドによって、２０ＭＨｚ、４０ＭＨｚ、８０ＭＨｚ、８０ＭＨｚ＋８０ＭＨｚ、または１６０ＭＨｚのうちの少なくとも１つの送信モードが可能となりうる。例えば、０に等しいＢＷインジケーション・サブ・フィールドの値は、２０ＭＨｚ送信を示し、１に等しいＢＷインジケーション・サブ・フィールドの値は、４０ＭＨｚ送信を示し、２に等しいＢＷインジケーション・サブ・フィールドの値は、８０ＭＨｚ送信を示し、３に等しいＢＷインジケーション・サブ・フィールドの値は、１６０ＭＨｚ送信または８０ＭＨｚ＋８０ＭＨｚの送信を示しうる。態様では、最上位ビット（ＭＳＢ）が使用されない場合、このビットが予約され、‘１’に設定されうる。
【００４４】
ＳＴＢＣサブ・フィールド５０４は、図５に例示されるビット・インデクス３のように、ＭＵ送信とＳＵ送信との両方のために１ビットを備えうる。態様では、このサブ・フィールドは、Ａｌａｍｏｕｔｉ送信スキームを示しうる。そして、これは、ＳＴＢＣのために‘１’に、その他のために‘０’に設定されうる。
【００４５】
グループＩＤサブ・フィールド５０６は、図５に例示されるビット・インデクス４−９のように、ＭＵ送信とＳＵ送信との両方のために６ビットを備えうる。本開示の態様では、グループＩＤサブ・フィールド５０６において予め定義された値（例えば、０）が、ＳＵ送信、グループ・メンバシップがまだ確立されていない送信、または、１または複数の装置のグループをバイパスすることを必要とする送信（例えば、ブロードキャスト送信）、のうちの少なくとも１つを示しうる。
【００４６】
ＳＴＳサブ・フィールド５０８は、図５に例示されるビット・インデクス１０−２１のように、ＭＵ送信とＳＵ送信との両方のために１２ビットを備えうる。ＭＵ送信の場合、このサブ・フィールドのうちの３ビットが、サポートされている最大数である４ユーザを用いて、ユーザ毎に割り当てられうる。サポートされているユーザの各々について、０の値は、そのユーザのために専用の空間−時間ストリームが無いことを示し、１の値は、そのユーザのために専用の１つの空間−時間ストリームを示し、２の値は、そのユーザのために専用の２つの空間−時間ストリームを示し、３の値は、そのユーザのために専用の３つの空間−時間ストリームを示し、４の値は、そのユーザのために専用の４つの空間−時間ストリームを示しうる。
【００４７】
ＳＵ送信の場合、ＳＴＳサブ・フィールド５０８の最初の３ビットが、ストリーム割当に関する情報を備えうる。例えば、０の値は、サポートされているユーザのための１つの空間−時間ストリームの割当を示し、１の値は、そのユーザのための２つの空間−時間ストリームの割当を示すという具合である。ＳＴＳサブ・フィールド５０８の残りの９ビットは、関連付け識別子（ＡＩＤ）に関する部分的な情報を備えうる。例えば、これらビットは、ＡＩＤのうちの９つのＬＳＢビットを表しうる。ブロードキャスト、マルチキャスト、およびＳＴＡからＡＰへの送信のために、これら９ビットは、すべてゼロに設定されうる。
【００４８】
図５に例示されるように、予約サブ・フィールド５１０は、ＭＵ送信とＳＵ送信との両方のために、２ビット、すなわち、ビット・インデクス２２−２３を備えうる。態様では、予約ビット５１０は、すべて１に設定されうる。
【００４９】
本開示の態様では、予約ビット５１０は、グループＩＤサブ・フィールド５０６またはＳＴＳサブ・フィールド５０８のうちの少なくとも１つの拡張を考慮して、ＶＨＴ−ＳＩＧ−Ａ１部５００へ含められうる。例えば、ＳＵ送信モードでは、ＳＴＳサブ・フィールド５０８は、１２ビットから１４ビットへ拡張されうる。最初の３ビットは、割り当てられた空間−時間ストリームの数を示す一方、次の１１ビットは、部分的なＡＩＤではなく、フルＡＩＤを備えうる。
【００５０】
図６は、本開示のある態様にしたがって、プリアンブルの超高スループット信号Ａ（ＶＨＴ−ＳＩＧ−Ａ）フィールドのＶＨＴ−ＳＩＧ−Ａ２部の構造の例を例示する。ＶＨＴ−ＳＩＧ−Ａ２部６００は、ＶＨＴ−ＳＩＧ−ＡフィールドのＶＨＴ−ＳＩＧ−Ａ１部５００の送信後に送信されうる。図６に例示されるように、ＶＨＴ−ＳＩＧ−Ａ２部６００は、ショート・ガード・インタバル（ＧＩ）サブ・フィールド６０２、符号化サブ・フィールド６０４、変調−符号化スキーム（ＭＣＳ）サブ・フィールド６０６（ＳＵ送信モードの場合にのみ送信される）、ＳＵビームフォーム・サブ・フィールド６０８（ＳＵ送信モードの場合にのみ送信される）、予約サブ・フィールド６１０、巡回冗長検査（ＣＲＣ）サブ・フィールド６１２、または、テール・サブ・フィールド６１４のうちの少なくとも１つを備えうる。
【００５１】
図６に例示されるように、ショートＧＩサブ・フィールド６０２は、ＭＵ送信とＳＵ送信との両方のための２ビット、すなわち、ビット・インデクス０−１を備えうる。態様では、このサブ・フィールドの１ビットは、ロングＧＩまたはショートＧＩ（例えば、ＬＳＢ）を示しうる。例えば、ショートＧＩを示す場合、ＬＳＢは‘１’に設定されうる。態様では、ＭＳＢは、ショートＧＩパケット長さ曖昧さ緩和を示すために利用されうる。例えば、ショートＧＩおよびＮｓｙｍ％１０＝＝９を示す場合、ＭＳＢは‘１’に設定されうる（すなわち、ショートＧＩの場合、ＯＦＤＭシンボル・モジュロ１０の数は９に等しい）。
【００５２】
符号化サブ・フィールド６０４は、ＭＵ送信のための８ビット（例えば、ユーザ毎に２ビット）、または、ＳＵ送信のための２ビットを備えうる。すなわち、図６に例示されるように、ＭＵ送信のためのビット・インデクス２−９、または、ＳＵ送信のためのビット・インデクス２−３。ＳＵ送信の場合、１ビット（例えば、ＬＳＢ）は、低密度パリティ・チェック（ＬＤＰＣ）符号化対ブロック・チャンネル符号化（ＢＣＣ）を示しうる。例えば、ＬＳＢは、ＢＣＣのために‘０'に設定され、ＬＤＰＣのために‘１’に設定されうる。態様では、このサブ・フィールドのＭＳＢが使用されない場合、予約され、‘１’に設定されうる。ＭＵ送信の場合、符号化サブ・フィールド６０４の２ビットが、ユーザ毎に割り当てられうる。例えば、各ユーザＬＳＢは、ＢＣＣのために‘０’に設定され、ＬＤＰＣのために‘１’に設定されうる。
【００５３】
ＭＣＳサブ・フィールド６０６は、ＳＵ送信の場合、４ビットを備えうる（すなわち、図６に例示するようなビット・インデクス４−７）。このサブ・フィールドは、ＭＵ送信の場合には存在しないかもしれず、その後、ＭＣＳが、プリアンブルのＶＨＴ−ＳＩＧ−Ｂ内でシグナルされうる。
【００５４】
ＳＵビームフォーム・サブ・フィールド６０８は、ＳＵ送信の場合、１ビットを備えうる（すなわち、図６に例示されるようなビット・インデクス８）。このサブ・フィールドは、ＭＵ送信の場合には存在しない場合があり得る。本開示の態様では、送信パケットが、ＳＵビームフォーム・パケットを示す場合、ＳＵビームフォーム・サブ・フィールドの値は、‘１’に設定されうる。そうではない場合、このサブ・フィールドは‘０’に設定されうる。別の態様では、ＳＵビームフォーム・ビット６０８が予約され、‘１’に設定されうる。
【００５５】
予約サブ・フィールド６１０は、ＳＵ送信の場合、１ビットを備えうる（すなわち、図６に例示されるようなビット・インデクス９）。この予約ビット６１０は、ＳＵ送信モードの場合にのみ送信され、‘１’に設定されうる。
【００５６】
ＣＲＣサブ・フィールド６１２は、ＭＵ送信とＳＵ送信との両方について、図６に例示するビット・インデクス１０−１７のように、８ビットを備えうる。本開示の態様では、ＣＲＣサムが、ＩＥＥＥ  ８０２．１１ｎ無線通信規格について指定されたように計算されうる。この場合、ＣＲＣサムのＣ７ビットが最初に送信され、ＣＲＣサムのＣ６ビットが次に送信されるといった具合である。
【００５７】
テール・サブ・フィールド６１４は、図６に例示するビット・インデクス１８−２３のように、ＭＵ送信とＳＵ送信との両方のために６ビットを備えうる。態様では、テール・ビット６１４は、すべてゼロでありうる。
【００５８】
図７は、本開示のある態様にしたがうプリアンブルの超高スループット信号フィールド・タイプＢ（ＶＨＴ−ＳＩＧ−Ｂフィールド）の構造７００の例を例示する。図７に例示されるように、ＶＨＴ−ＳＩＧ−Ｂフィールド７００は、長さサブ・フィールド７０２、変調−符号化スキーム（ＭＣＳ）サブ・フィールド７０４、予約サブ・フィールド７０６、または、テール・サブ・フィールド７０８のうちの少なくとも１つを備えうる。態様では、長さサブ・フィールド７０２が最初に送信され、その後、ＭＳＣサブ・フィールド７０４、予約サブ・フィールド７０６、およびテール・サブ・フィールド７０８が続く。態様では、各サブ・フィールドのＬＳＢが最初に送信されるように、ＶＨＴ−ＳＩＧ−Ｂフィールドのすべてのサブ・フィールドが送信されうる。
【００５９】
本開示の態様では、長さサブ・フィールド７０２は、４オクテットの単位で、プリアンブルに続く物理レイヤ収束手順（ＰＬＣＰ）サービス・データ・ユニット（ＰＳＤＵ）内における有用なデータの長さに関するインジケーションを備えうる。図７に例示されるように、ＭＣＳサブ・フィールド７０４は、サポートされているすべての帯域幅サイズ（すなわち、２０ＭＨｚ、４０ＭＨｚ、および８０ＭＨｚからなる帯域幅サイズ）のための４ビットを備え、ＭＵ送信の場合にのみ利用されうる。
【００６０】
一方、予約ビット７０６は、ＳＵ送信の場合にのみ適用されうる。予約ビット７０６の数は、利用された帯域幅サイズに依存し、例えば、２０ＭＨｚ送信帯域幅のために３ビットが割り当てられ、４０ＭＨｚ帯域幅および８０ＭＨｚ帯域幅のために２ビットが適用されうる。態様では、予約ビット７０６は、すべて１に設定されうる。
【００６１】
図７に例示されるように、テール・サブ・フィールド７０８は、サポートされているすべての帯域幅サイズのため、および、ＭＵ送信とＳＵ送信との両方のために、６ビットを備えうる。態様では、テール・ビット７０８は、すべてゼロに設定されうる。
【００６２】
本開示の態様では、ＣＲＣサムは、プリアンブルのサービス・フィールドの一部でありうる。例えば、ＣＲＣサムが、ＩＥＥＥ  ８０２．１１ｎ無線通信規格について指定されたように計算されうる。この場合、ＣＲＣサムのＣ７ビットが最初に送信され、サービス・フィールドのＢ８ビットにマップされうる。次に、ＣＲＣサムのＣ６ビットが送信され、サービス・フィールドのＢ９ビットにマップされるといった具合である。最後に、ＣＲＣサムのＣ０ビットが送信され、サービス・フィールドのＢ１５ビットにマップされうる。
【００６３】
図８は、本開示のある態様にしたがってプリアンブルを構築するために無線ノード（例えば、アクセス・ポイントまたはユーザ端末）で実行されうる動作８００の例を図示する。８０２において、無線ノードは、第１の部分（例えば、ＶＨＴ−ＳＩＧ−Ａ１部）と、それに続く第２の部分（例えば、ＶＨＴ−ＳＩＧ−Ａ２部）とを備えた信号（ＳＩＧ）フィールド（例えば、ＶＨＴ−ＳＩＧ−Ａフィールド）を構築しうる。ここでは、シングル・ユーザ（ＳＵ）モードとマルチ・ユーザ（ＭＵ）モードとに共通であるサブ・フィールドのグループが、ＳＵモードとＭＵモードとに共通ではないサブ・フィールドの別のグループよりも前に送信されることを保証するために、第１の部分と第２の部分とに、ＳＩＧフィールドのうちの複数のサブ・フィールドが割り当てられうる。８０４において、無線ノードは、プリアンブル内でＳＩＧフィールドを、１または複数のその他の無線ノード（例えば、ユーザ局または別のアクセス・ポイント）へ送信しうる。
【００６４】
本開示の態様では、アクセス・ポイントは、長さサブ・フィールド、変調−符号化スキーム（ＭＣＳ）サブ・フィールド、テール・サブ・フィールド、または予約ビットを備えた別のＳＩＧフィールド（例えば、ＶＨＴ−ＳＩＧ−Ｂフィールド）をプリアンブル内に構築しうる。長さサブ・フィールドは、プリアンブル後に送信されるデータの長さに関するインジケーションを備えうる。
【００６５】
本開示の態様では、ＳＩＧフィールドおよびその他のＳＩＧフィールドは、ＳＵモードの場合、プリアンブルで、１つのみの装置（ユーザ端末）へ送信されうる。さらに、ＳＩＧフィールドおよびその他のＳＩＧフィールドは、ＭＵモードの場合、プリアンブルで、２またはそれ以上の装置（ユーザ端末）へ送信されうる。
【００６６】
本開示の別の態様では、ユーザ端末は、ＳＩＧフィールド（例えば、ＶＨＴ−ＳＩＧ−ＡフィールドおよびＶＨＴ−ＳＩＧ−Ｂフィールド）を構築し、これらを、プリアンブルで、アクセス・ポイント、または、１または複数のユーザ端末へ送信しうる。
【００６７】
要約すると、本開示のある態様は、ＳＵ送信モードとＭＵ送信モードとに共通であるＶＨＴ−ＳＩＧ−Ａフィールド内のサブ・フィールドが最初に送信されるように、これらサブ・フィールドを、ＶＨＴ−ＳＩＧ−Ａ１部とＶＨＴ−ＳＩＧ−Ａ２部とに割り当てることをサポートする。本開示の態様では、ＳＵ送信モードとＭＵ送信モードとに共通である１または複数のサブ・フレームが、例えば、図５に例示されるＶＨＴ−ＳＩＧ−Ａ１部５００のＳＴＳサブ・フィールド５０８のように、ＳＵモードとＭＵモードとについて別々に解釈されうる（すなわち、異なる情報を備えうる）。さらに、ＶＨＴ−ＳＩＧ−Ｂフィールドのサブ・フィールドのサイズおよび順序付けが定義される。
【００６８】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズ・プラス・ファンクション構成要素を有しうる。例えば、図８に例示される動作８００は、図８Ａに例示される構成要素８００Ａに対応する。
【００６９】
本明細書で使用される場合、用語「判定すること（determining）」は、さまざまな動作を含む。例えば、「判定すること」は、計算、コンピューティング、処理、導出、調査、ルックアップ（例えば、テーブル、データベース、または他のデータ構造内のルックアップ）、確認等を行うことを含みうる。また、「判定すること」は、受信（例えば、情報の受信）、アクセス（例えば、メモリ内のデータへのアクセス）等を行うことを含みうる。また、「判定すること」は、解決、選択、選定、確立等を行うことを含みうる。
【００７０】
本明細書に記載されるように、項目のリストのうちの「少なくとも１つ」と称する文言は、単数を含むこれら項目のうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００７１】
前述した方法のさまざまな動作は、例えばさまざまなハードウェア構成要素および／またはソフトウェア構成要素、回路、および／または、モジュール（単数または複数）のように、動作を実行することが可能な任意の適切な手段によって実行されうる。通常、図面に例示される何れの動作も、これら動作を実行することが可能な対応する機能的手段によって実行されうる。
【００７２】
例えば、送信する手段は、例えばアクセス・ポイント１１０の図２からの送信機２２２、ユーザ端末１２０の図２からの送信機２５４、または無線デバイス３０２の図３からの送信機３１０のような送信機を備えうる。構築する手段は、例えば、アクセス・ポイント１１０の図２からのプロセッサ２１０、ユーザ端末１２０の図２からのプロセッサ２８８、または無線デバイス３０２の図３からのプロセッサ３０４のような特定用途向け集積回路を備えうる。利用する手段は、例えばプロセッサ２１０、プロセッサ２８８．またはプロセッサ３０４のような特定用途向け集積回路を備えうる。
【００７３】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサでありうるが、代替案では、プロセッサは、任意の市販のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７４】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００７５】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００７６】
説明された機能は、ハードウェア、ソフトウェア、ファームウェア、またはその任意の組合せで実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ・プログラムを１つの場所から別の場所へ転送することを容易にする任意の媒体を含む通信媒体とコンピュータ記憶媒体との両方を含んでいる。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線（ＩＲ）、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。したがって、いくつかの態様では、コンピュータ読取可能な媒体は、非一時的なコンピュータ読取可能な媒体（例えば、具体的な媒体）を備えうる。さらに、別の態様の場合、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００７７】
したがって、ある態様は、本明細書に記載された動作を実行するためのコンピュータ・プログラム製品を備えうる。例えば、このようなコンピュータ・プログラム製品は、格納された（および／または符号化された）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００７８】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００７９】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００８０】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００８１】
前述したものは、本開示の態様に向けられているが、これら開示のその他およびさらなる態様が、本願の基本的な範囲から逸脱することなく考案され、この範囲は、以下に示す特許請求の範囲によって決定される。
以下に、本願出願の当初の特許請求の範囲に記載された発明を付記する。
［Ｃ１］  無線通信のための方法であって、
第２の部分が続く第１の部分を備えた信号（ＳＩＧ）フィールドを構築することと、ここで、前記ＳＩＧフィールドのうちの複数のサブ・フィールドは、シングル・ユーザ（ＳＵ）モードとマルチ・ユーザ（ＭＵ）モードとに共通のサブ・フィールドのグループが、前記ＳＵモードと前記ＭＵモードとに共通ではないサブ・フィールドの別のグループの前に送信されることを保証するために、前記第１の部分と前記第２の部分とに割り当てられる、
プリアンブル内で前記ＳＩＧフィールドを送信することと、を備える方法。
［Ｃ２］  前記ＳＩＧフィールドは、超高スループット信号フィールド・タイプＡ（ＶＨＴ−ＳＩＧ−Ａフィールド）を備える、Ｃ１に記載の方法。
［Ｃ３］  前記ＳＩＧフィールドは、前記ＳＵモードの場合、１つの装置のみに送信され、前記ＳＩＧフィールドは、前記ＭＵモードの場合、２またはそれ以上の装置に送信される、Ｃ１に記載の方法。
［Ｃ４］  前記グループからの１または複数のサブ・フィールドは、前記ＳＵモードのため、および前記ＭＵモードのために、異なる情報を備える、Ｃ１に記載の方法。
［Ｃ５］  前記１または複数のサブ・フィールドは、前記プリアンブルが送信される各装置に専用の空間−時間ストリームの数に関する情報を備える、空間−時間ストリーム（ＳＴＳ）サブ・フィールドを備える、Ｃ４に記載の方法。
［Ｃ６］  グループＩＤサブ・フィールド、または、サブ・フィールドのグループの空間−時間ストリーム（ＳＴＳ）サブ・フィールドのうちの少なくとも１つを拡張するために、前記第１の部分における１または複数の予約ビットを利用することをさらに備え、
前記ＳＴＳサブ・フィールドは、前記プリアンブルが送信される各装置に専用の空間−時間ストリームの数に関する情報を備え、
前記グループＩＤサブ・フィールドは、前記プリアンブルが送信される装置のグループに関する情報を備える、Ｃ１に記載の方法。
［Ｃ７］  前記ＳＴＳサブ・フィールドは、前記１または複数の予約ビットを利用することによって、前記ＳＵモードにおいて１４ビットへ拡張され、
前記ＳＴＳサブ・フィールドのうちの３ビットは、前記装置に専用の空間−時間ストリームの数を示し、
前記ＳＴＳサブ・フィールドのうちの１１ビットは、前記装置の関連付け識別子（ＡＩＤ）のうちの少なくとも一部を備える、Ｃ６に記載の方法。
［Ｃ８］  長さサブ・フィールド、変調−符号化スキーム（ＭＣＳ）サブ・フィールド、テール・サブ・フィールド、または予約ビットのうちの少なくとも１つを備える別のＳＩＧフィールドを、前記プリアンブル内に構築することをさらに備え、
前記長さサブ・フィールドは、前記プリアンブルの後に送信されるべきデータの長さに関するインジケーションを備える、Ｃ１に記載の方法。
［Ｃ９］  前記ＭＣＳサブ・フィールド、前記予約ビット、および前記テール・サブ・フィールドが後続する前記長さサブ・フィールドを送信すること、をさらに備えるＣ８に記載の方法。
［Ｃ１０］  前記別のＳＩＧフィールドは、超高スループット信号フィールド・タイプＢ（ＶＨＴ−ＳＩＧ−Ｂフィールド）を備え、
前記ＶＨＴ−ＳＩＧ−Ｂフィールドは、超高スループット信号フィールド・タイプＡ（ＶＨＴ−ＳＩＧ−Ａフィールド）を送信した後に、前記プリアンブルにおいて送信される、Ｃ８に記載の方法。
［Ｃ１１］  前記プリアンブルは、無線通信規格のＩＥＥＥ  ８０２．１１ファミリにしたがって送信される、Ｃ１に記載の方法。
［Ｃ１２］  無線通信のための装置であって、
第２の部分が続く第１の部分を備えた信号（ＳＩＧ）フィールドを構築するように構成された回路と、ここで、前記ＳＩＧフィールドのうちの複数のサブ・フィールドは、シングル・ユーザ（ＳＵ）モードとマルチ・ユーザ（ＭＵ）モードとに共通のサブ・フィールドのグループが、前記ＳＵモードと前記ＭＵモードとに共通ではないサブ・フィールドの別のグループの前に送信されることを保証するために、前記第１の部分と前記第２の部分とに割り当てられる、
プリアンブル内で前記ＳＩＧフィールドを送信するように構成された送信機と、を備える装置。
［Ｃ１３］  前記ＳＩＧフィールドは、超高スループット信号フィールド・タイプＡ（ＶＨＴ−ＳＩＧ−Ａフィールド）を備える、Ｃ１２に記載の装置。
［Ｃ１４］  前記ＳＩＧフィールドは、前記ＳＵモードの場合、１つの装置のみに送信され、前記ＳＩＧフィールドは、前記ＭＵモードの場合、２またはそれ以上の装置に送信される、Ｃ１２に記載の装置。
［Ｃ１５］  前記グループからの１または複数のサブ・フィールドは、前記ＳＵモードのため、および前記ＭＵモードのために、異なる情報を備える、Ｃ１２に記載の装置。
［Ｃ１６］  前記１または複数のサブ・フィールドは、前記プリアンブルが送信される各装置に専用の空間−時間ストリームの数に関する情報を備える空間−時間ストリーム（ＳＴＳ）サブ・フィールドを備える、Ｃ１５に記載の装置。
［Ｃ１７］  グループＩＤサブ・フィールド、または、サブ・フィールドのグループの空間−時間ストリーム（ＳＴＳ）サブ・フィールドのうちの少なくとも１つを拡張するために、前記第１の部分における１または複数の予約ビットを利用するように構成された別の回路をさらに備え、
前記ＳＴＳサブ・フィールドは、前記プリアンブルが送信される各装置に専用の空間−時間ストリームの数に関する情報を備え、
前記グループＩＤサブ・フィールドは、前記プリアンブルが送信される装置のグループに関する情報を備える、Ｃ１２に記載の装置。
［Ｃ１８］  前記ＳＴＳサブ・フィールドは、前記１または複数の予約ビットを利用することによって、前記ＳＵモードにおいて１４ビットへ拡張され、
前記ＳＴＳサブ・フィールドのうちの３ビットは、前記装置に専用の空間−時間ストリームの数を示し、
前記ＳＴＳサブ・フィールドのうちの１１ビットは、前記装置の関連付け識別子（ＡＩＤ）のうちの少なくとも一部を備える、Ｃ１７に記載の装置。
［Ｃ１９］  長さサブ・フィールド、変調−符号化スキーム（ＭＣＳ）サブ・フィールド、テール・サブ・フィールド、または予約ビットのうちの少なくとも１つを備える別のＳＩＧフィールドを、前記プリアンブル内に構築するように構成された別の回路をさらに備え、
前記長さサブ・フィールドは、前記プリアンブルの後に送信されるべきデータの長さに関するインジケーションを備える、Ｃ１２に記載の装置。
［Ｃ２０］  前記送信機はさらに、前記ＭＣＳサブ・フィールド、前記予約ビット、および前記テール・サブ・フィールドが後続する前記長さサブ・フィールドを送信するように構成された、Ｃ１９に記載の装置。
［Ｃ２１］  前記別のＳＩＧフィールドは、超高スループット信号フィールド・タイプＢ（ＶＨＴ−ＳＩＧ−Ｂフィールド）を備え、
前記ＶＨＴ−ＳＩＧ−Ｂフィールドは、超高スループット信号フィールド・タイプＡ（ＶＨＴ−ＳＩＧ−Ａフィールド）を送信した後に、前記プリアンブルにおいて送信される、Ｃ１９に記載の装置。
［Ｃ２２］  前記プリアンブルは、無線通信規格のＩＥＥＥ  ８０２．１１ファミリにしたがって送信される、Ｃ１２に記載の装置。
［Ｃ２３］  無線通信のための装置であって、
第２の部分が続く第１の部分を備えた信号（ＳＩＧ）フィールドを構築する手段と、ここで、前記ＳＩＧフィールドのうちの複数のサブ・フィールドは、シングル・ユーザ（ＳＵ）モードとマルチ・ユーザ（ＭＵ）モードとに共通のサブ・フィールドのグループが、前記ＳＵモードと前記ＭＵモードとに共通ではないサブ・フィールドの別のグループの前に送信されることを保証するために、前記第１の部分と前記第２の部分とに割り当てられる、
プリアンブル内で前記ＳＩＧフィールドを送信する手段と、を備える装置。
［Ｃ２４］  前記ＳＩＧフィールドは、超高スループット信号フィールド・タイプＡ（ＶＨＴ−ＳＩＧ−Ａフィールド）を備える、Ｃ２３に記載の装置。
［Ｃ２５］  前記ＳＩＧフィールドは、前記ＳＵモードの場合、１つの装置のみに送信され、前記ＳＩＧフィールドは、前記ＭＵモードの場合、２またはそれ以上の装置に送信される、Ｃ２３に記載の装置。
［Ｃ２６］  前記グループからの１または複数のサブ・フィールドは、前記ＳＵモードのため、および前記ＭＵモードのために、異なる情報を備える、Ｃ２３に記載の装置。
［Ｃ２７］  前記１または複数のサブ・フィールドは、前記プリアンブルが送信される各装置に専用の空間−時間ストリームの数に関する情報を備える、空間−時間ストリーム（ＳＴＳ）サブ・フィールドを備える、Ｃ２６に記載の装置。
［Ｃ２８］  グループＩＤサブ・フィールド、または、サブ・フィールドのグループの空間−時間ストリーム（ＳＴＳ）サブ・フィールドのうちの少なくとも１つを拡張するために、前記第１の部分における１または複数の予約ビットを利用する手段をさらに備え、
前記ＳＴＳサブ・フィールドは、前記プリアンブルが送信される各装置に専用の空間−時間ストリームの数に関する情報を備え、
前記グループＩＤサブ・フィールドは、前記プリアンブルが送信される装置のグループに関する情報を備える、Ｃ２３に記載の装置。
［Ｃ２９］  前記ＳＴＳサブ・フィールドは、前記１または複数の予約ビットを利用することによって、前記ＳＵモードにおいて１４ビットへ拡張され、
前記ＳＴＳサブ・フィールドのうちの３ビットは、前記装置に専用の空間−時間ストリームの数を示し、
前記ＳＴＳサブ・フィールドのうちの１１ビットは、前記装置の関連付け識別子（ＡＩＤ）のうちの少なくとも一部を備える、Ｃ２８に記載の装置。
［Ｃ３０］  長さサブ・フィールド、変調−符号化スキーム（ＭＣＳ）サブ・フィールド、テール・サブ・フィールド、または予約ビットのうちの少なくとも１つを備える別のＳＩＧフィールドを、前記プリアンブル内に構築する手段をさらに備え、
前記長さサブ・フィールドは、前記プリアンブルの後に送信されるべきデータの長さに関するインジケーションを備える、Ｃ２３に記載の装置。
［Ｃ３１］  前記送信する手段はさらに、前記ＭＣＳサブ・フィールド、前記予約ビット、および前記テール・サブ・フィールドが後続する前記サブ・フィールドを送信するように構成された、Ｃ３０に記載の装置。
［Ｃ３２］  前記別のＳＩＧフィールドは、超高スループット信号フィールド・タイプＢ（ＶＨＴ−ＳＩＧ−Ｂフィールド）を備え、
前記ＶＨＴ−ＳＩＧ−Ｂフィールドは、超高スループット信号フィールド・タイプＡ（ＶＨＴ−ＳＩＧ−Ａフィールド）を送信した後に、前記プリアンブルにおいて送信される、Ｃ３０に記載の装置。
［Ｃ３３］  前記プリアンブルは、無線通信規格のＩＥＥＥ  ８０２．１１ファミリにしたがって送信される、Ｃ２３に記載の装置。
［Ｃ３４］  第２の部分が続く第１の部分を備えた信号（ＳＩＧ）フィールドを構築し、ここで、前記ＳＩＧフィールドのうちの複数のサブ・フィールドは、シングル・ユーザ（ＳＵ）モードとマルチ・ユーザ（ＭＵ）モードとに共通のサブ・フィールドのグループが、前記ＳＵモードと前記ＭＵモードとに共通ではないサブ・フィールドの別のグループの前に送信されることを保証するために、前記第１の部分と前記第２の部分とに割り当てられる、
プリアンブル内で前記ＳＩＧフィールドを送信する、ように実行可能な命令群を備えるコンピュータ読取可能な媒体を備える、無線通信のためのコンピュータ・プログラム製品。
［Ｃ３５］  無線ノードであって、
少なくとも１つのアンテナと、
第２の部分が続く第１の部分を備えた信号（ＳＩＧ）フィールドを構築するように構成された回路と、ここで、前記ＳＩＧフィールドのうちの複数のサブ・フィールドは、シングル・ユーザ（ＳＵ）モードとマルチ・ユーザ（ＭＵ）モードとに共通のサブ・フィールドのグループが、前記ＳＵモードと前記ＭＵモードとに共通ではないサブ・フィールドの別のグループの前に送信されることを保証するために、前記第１の部分と前記第２の部分とに割り当てられる、
前記少なくとも１つのアンテナを介して、プリアンブル内で前記ＳＩＧフィールドを送信するように構成された送信機と、を備える無線ノード。
【図１】
0005607249.tif 000002
【図２】
0005607249.tif 000003
【図３】
0005607249.tif 000004
【図４】
0005607249.tif 000005
【図５】
0005607249.tif 000006
【図６】
0005607249.tif 000007
【図７】
0005607249.tif 000008
【図８】
0005607249.tif 000009
【図８Ａ】
0005607249.tif 000010